(57)【要約】      （修正有）【課題】携帯電話やキーホルダーに取り付けて使用することができ、出先等でメモしたおきたい事態が生じた場合に容易にメモしうるメモ用紙を収納した下げ飾りを提供する。【解決手段】下げ飾り本体部における紐状部材１２に、例えば、携帯電話やキーホルダー本体を接続することができ、また、下げ飾り本体に併設されたメモホルダー部１５にメモパッドを保持して一緒に携帯し、必要に応じてメモパッドにメモを記載し、保存することができる。【選択図】図１
0003131665.tif 000002
【実用新案登録請求の範囲】
【請求項１】
下げ飾り本体部と、上記下げ飾本体部に取り付けられ、メモパッドを保持しうるメモホルダー部とが併設されていることを特徴とする下げ飾り。
【請求項２】
上記メモホルダー部は、方形で板状に形成され、メモパッドの保持部を有するホルダー本体と、上記ホルダー本体と略同形に形成され、上記ホルダー本体に重ね合わせて上記保持部を被覆しうるカバー部材とから成り、上記ホルダー本体と上記カバー部材は長さ方向の一端がリング状部材により連結されると共に、他端は留め具により固定しうるように構成されていることを特徴とする請求項１記載の下げ飾り。
【請求項３】
上記メモパッドの保持部は、上記ホルダー本体の長さ方向の両端部にメモパッドの両端部を差し込み可能な袋状部として形成され、メモパッドは上記袋状部により両端部以外の中間部が露呈した状態で保持されるように形成されていることを特徴とする請求項２記載の下げ飾り。
【請求項４】
上記ホルダー本体には、内面部と外面部との間に、予備のメモパッド及びメモ書きしたメモ用紙を収納しうるポケットが形成されていることを特徴とする請求項２又は３記載の下げ飾り。
【請求項５】
上記カバー部材の側縁部には、筆記具固定部及び筆記具先受け部が設けられていることを特徴とする請求項２〜４のいずれか１項に記載された下げ飾り。
【請求項６】
上記下げ飾り本体部は、上記メモホルダー部に対し、バックルを介して脱着可能に接続されていることを特徴とする請求項１〜５のいずれか１項に記載された下げ飾り。
【請求項７】
上記下げ飾りは、携帯電話用ストラップであることを特徴とする請求項１〜６のいずれか１項に記載の下げ飾り。
【請求項８】
上記下げ飾りは、キーホルダであることを特徴とする請求項１〜６のいずれか１項に記載の下げ飾り。
【考案の詳細な説明】
【技術分野】
【０００１】
本考案は下げ飾りに係り、特に、携帯電話やキーホルダーに取り付けて、メモしうる下げ飾りに関する。
【背景技術】
【０００２】
例えば、携帯電話用のストラップには種々の物品が取り付けられているが、例えば、フィギュアなどが取り付けられている場合が多く、主に装飾用としての物品が取り付けられている。
【０００３】
また、携帯電話で相手と話した場合、その話した内容を忘れないようにメモする必要がある場合が往々にしてある。
【０００４】
そのような場合、従来は、着用している衣服のポケットや、携帯しているバッグなどから、手帳等と共にボールペンなどを取り出し、手帳の頁を捲り、メモ欄を探し出して、用件を記載する必要があり、極めて煩雑であった。
また、キーホルダーにおいても、出先等で簡単にメモしておきたい事態が生じた場合にメモ用紙がキーホルダーに収納されていれば便利である。
【考案の開示】
【考案が解決しようとする課題】
【０００５】
そこで、本考案の課題は、携帯電話やキーホルダーに取り付けて使用することができ、出先等でメモしたおきたい事態が生じた場合に容易にメモしうるメモ用紙を収納した下げ飾りを提供することにある。
【課題を解決するための手段】
【０００６】
上記課題を解決するために、本考案に係る下げ飾りは、下げ飾り本体部と、上記下げ飾本体部に取り付けられ、メモパッドを保持しうるメモホルダー部とが併設されていることを特徴とする。
【０００７】
すなわち、本考案に係る上記下げ飾りにあっては、上記下げ飾り本体部における上記紐状部材に、例えば、携帯電話やキーホルダー本体を接続することができ、また、上記下げ飾り本体に併設された上記メモホルダー部にメモパッドを保持して一緒に携帯し、必要に応じて上記メモパッドにメモを記載し、保存することができる。
【０００８】
また、本考案に係る上記下げ飾りにあっては、上記メモホルダー部は、方形で板状に形成され、メモパッドの保持部を有するホルダー本体と、上記ホルダー本体と略同形に形成され、上記ホルダー本体に重ね合わせて上記保持部を被覆しうるカバー部材とから成り、上記ホルダー本体と上記カバー部材は長さ方向の一端がリング状部材により連結されると共に、他端は留め具により固定しうるように構成されていることを特徴とする。
【０００９】
すなわち、本考案に係る上記下げ飾りにあっては、上記メモホルダー部はホルダー本体とカバー部材とにより構成されている。上記ホルダー本体と上記カバー部材は同形に形成され、重ね合わせることができる。
したがって、上記ホルダー本体に保持されたメモパッドをカバー部材により隠蔽して保護することができる。上記メモパッドにメモを記載する場合は、上記カバー部材を上記リング状部材に沿って捲り、反転させることができる。
したがって、上記ホルダー本体を全開状態にして上記メモパッドを露呈させた状態にし、その状態でメモをとることができる。
【００１０】
また、本考案に係る上記下げ飾りにあっては、上記メモパッドの保持部は、上記ホルダー本体の長さ方向の両端部にメモパッドの両端部を差し込み可能な袋状部として形成され、メモパッドは上記袋状部により両端部以外の中間部が露呈した状態で保持されるように形成されていることを特徴とする。
【００１１】
すなわち、本考案に係る上記下げ飾りにあっては、メモパッドを上記ホルダー本体により保持する場合、メモパッドの両端部を上記ホルダー本体の両端部に形成された上記袋状部に差し込んで固定することになる。
また、メモパッドは保持状態で中間部が露呈されるので、そのまま取り外すことなく、メモパッドにメモを記載することができる。
【００１２】
また、本考案に係る上記下げ飾りは、上記ホルダー本体には、内面部と外面部との間に、予備のメモパッド及びメモ書きしたメモ用紙を収納しうるポケットが形成されていることを特徴とする。
【００１３】
すなわち、本考案に係る上記下げ飾りにあっては、予備のメモパッド及びメモ書きしたメモ用紙を上記ポケットに収納して保管することができる。
したがって、メモ書きしたメモ用紙の紛失を防止し、メモ用紙の不足を回避することができる。
【００１４】
また、本考案に係る上記下げ飾りにあっては、上記カバー部材の側縁部には、筆記具固定部及び筆記具先受け部が設けられていることを特徴とする。
【００１５】
すなわち、本考案に係る上記下げ飾りにあっては、上記筆記具固定部と上記筆記具先受け部とにボールペン等の筆記具を挿通して保持し、一緒に携帯することができる。
【００１６】
また、本考案に係る上記下げ飾りは、上記下げ飾り本体部は、上記メモホルダー部に対し、バックルを介して脱着可能に接続されていることを特徴とする。
【００１７】
すなわち、本考案に係る上記下げ飾りにあっては、上記バックルを分割することにより上記メモホルダー部を上記下げ飾り本体部から分離することができる。したがって、携帯電話が邪魔な場合に、携帯電話から上記メモホルダー部を分離してメモパッドにメモを記載することができる。
【考案の効果】
【００１８】
請求項１記載の本考案に係る下げ飾りは、下げ飾り本体部と、上記下げ飾本体部に取り付けられ、メモパッドを保持しうるメモホルダー部とが併設されていることから、上記下げ飾り本体部を携帯電話やキーホルダー本体に接続して携帯することができると共に、例えば、携帯電話で話した場合に、話した内容を忘れないようにメモする必要がある場合は、上記メモホルダー部に保持された上記メモパッドのメモ用紙に記載して保存することができる。したがって、ポケットやバッグから手帳等を取り出してメモする煩雑さを解消することができる。
【００１９】
請求項２記載の本考案に係る下げ飾りは、上記メモホルダー部は、方形で板状に形成され、メモパッドの保持部を有するホルダー本体と、上記ホルダー本体と略同形に形成され、上記ホルダー本体に重ね合わせて上記保持部を被覆しうるカバー部材とから成り、上記ホルダー本体と上記カバー部材は長さ方向の一端がリング状部材により連結されると共に、他端は留め具により固定しうるように構成されていることから、上記ホルダー本体に保持されているメモパッドを上記カバー部材により保護することができる。
また、上記カバー部材は、上記リング状部材によりホルダー本体に対し捲って開くことができるので、上記ホルダー本体を全開することができ、上記保持部に保持されたメモパッドにメモするのが容易である。
【００２０】
請求項３記載の本考案に係る下げ飾りは、上記メモパッドの保持部が、上記ホルダー本体の長さ方向の両端部にメモパッドの両端部を差し込み可能な袋状部として形成され、メモパッドは上記袋状部により両端部以外の中間部が露呈した状態で保持されるように形成されていることから、上記メモパッドが上記保持部に取り付けられた状態のままで、取り外すことなく、露呈したメモ用紙に即座にメモすることができる。
【００２１】
請求項４記載の本考案に係る下げ飾りは、上記ホルダー本体には、内面部と外面部との間に、予備のメモパッド及びメモ書きしたメモ用紙を収納しうるポケットが形成されていることから、メモ用紙が無くなるという不具合を回避することができると共に、メモ書きしたメモ用紙の保存場所を容易に確保することができる。
【００２２】
請求項５記載の本考案に係る下げ飾りは、上記カバー部材の側縁部には、筆記具固定部及び筆記具先受け部が設けられていることから、ボールペン等の筆記具を上記ペン差し部及びペン先受け部により保持して同時に携帯できるので、メモする際に筆記具を探す煩雑がない。
【００２３】
請求項６記載の本考案に係る下げ飾りは、上記下げ飾り本体部が、上記メモホルダー部に対し、バックルを介して脱着可能に接続されていることから、メモする場合に、上記メモホルダー部を携帯電話から分離して使用することができ、メモしやすくなる。
【考案を実施するための最良の形態】
【００２４】
以下、図面を用いて本発明の実施の形態について、本考案に係る下げ飾りを携帯電話用ストラップとして構成した場合を例に説明する。
本実施の形態に係る下げ飾りは携帯電話用のストラップとして構成されており、本形態に係るストラップ１１は、図１に示すように、携帯電話に接続しうる紐状部材１２を有するストラップ本体部１３と、上記ストラップ本体部１３に取り付けられ、メモパッド１４を保持しうるメモホルダー部１５とが併設されている。
また、図２に示すように、上記メモホルダー部１５は、方形で板状に形成され、メモパッド１４の保持部１８，１９を有するホルダー本体１６と、上記ホルダー本体１６と略同形に形成され、上記ホルダー本体１６に重ね合わせて上記保持部１８，１９を被覆しうるカバー部材１７とから成り、上記ホルダー本体１６と上記カバー部材１７は長さ方向の一端がリング状部材２０により連結されると共に、他端は留め具２１により固定しうるように構成されている。
また、図２及び図３に示すように、上記メモパッド１４の保持部１８，１９は、上記ホルダー本体１６の長さ方向の両端部にメモパッド１４の両端部を差し込み可能な袋状部２４，２５として形成され、メモパッド１４は上記袋状部２４，２５により両端部以外の中間部が露呈した状態で保持されるように形成されている。
また、図４に示すように、上記ホルダー本体１６には、内面部２３と外面部２６との間に、予備のメモパッド及びメモ書きしたメモ用紙を収納しうるポケット２７が形成されている。
また、図１及び図２に示すように、上記カバー部材１７の側縁部２８には、筆記具固定部２９及び筆記具先受け部３０が設けられている。
また、図１に示すように、上記ストラップ本体部１３は、上記メモホルダー部１５に対し、バックル３１を介して脱着可能に接続されている。
【実施例１】
【００２５】
図は実施例に係るストラップ１１を示したものである。
本実施例に係るストラップ１１は、図１に示すように、輪状に形成され、携帯電話に接続しうる紐状部材１２を有するストラップ本体部１３と、上記ストラップ本体部１３に取り付けられ、メモパッド１４を保持しうるメモホルダー部１５とが併設されている。
【００２６】
図１及び図２に示すように、上記メモホルダー部１５は、ホルダー本体１６と、カバー部材１７とにより構成されている。
上記ホルダー本体１６は、革製で、方形で板状に形成され、メモパッド１４の保持部１８，１９を有している。
また、上記カバー部材１７は、同じく革製で、上記ホルダー本体１６と略同形に形成され、上記ホルダー本体１６に重ね合わせて上記保持部１８，１９を被覆しうるように形成されている。
【００２７】
図１及び図２に示すように、上記ホルダー本体１６と上記カバー部材１７は、長さ方向の一端が金属製のリング状部材２０により連結され、他端は留め具２１として用いられたホック２２により固定しうるように構成されている。
すなわち、図２に示すように、上記ホルダー本体１６にはホック２２の雄部材２２ａが、また、上記カバー部材１７にはホック２２の雌部材２２ｂが、それぞれ取り付けられている。
なお、本実施例では、上記留め具２１として上記ホック２２が用いられているが、上記ホック２２の代わりに面ファスナを用いる実施例も可能である。
【００２８】
図２及び図３に示すように、上記メモパッド１４の保持部１８，１９として、上記ホルダー本体１６の内面部２３における長さ方向の両端部に、メモパッド１４の両端部を差し込み可能な袋状部２４，２５が形成されている。
上記メモパッド１４は、上記袋状部２４，２５により両端部のみが固定され、それ以外の中間部は露呈した状態で保持されている。
【００２９】
図３及び図４に示すように、上記ホルダー本体１６には、内面部２３と外面部２６との間に、予備のメモパッド及びメモ書きしたメモ用紙を収納しうるポケット２７が形成されている。
【００３０】
図１及び図２に示すように、上記カバー部材１７の幅方向の一方の側縁部２８には、筒状の筆記具固定部２９及び筆記具先受け部３０が設けられている。
なお、上記筆記具先受け部３０は、筆記具の筆先部が突出しないように先細状に形成されている。
【００３１】
図１に示すように、上記ストラップ本体部１３は、上記メモホルダー部１５に対し、バックル３１を介して脱着可能に接続されている。
すなわち、上記紐状部材１２にはバックル３１の受け部３１ａが設けられ、上記リング状部材２０にはバックル３１の掛け部３１ｂが取り付けられ、上記受け部３１ａと上記掛け部３１ｂは係合自在で、かつ分離可能に構成されている。
【００３２】
以下に、上記実施例の作用について説明する。
上記ストラップ本体部１３における上記紐状部材１２には携帯電話を接続して携帯することができる。
また、上記メモホルダー部１５にはメモパッド１４を保持して携帯することができる。
【００３３】
上記メモホルダー部１５は、上記ホルダー本体１６を有し、上記ホルダー本体１６の両端部には保持部１８，１９としての袋状部２４，２５が設けられているので、メモパッド１４は両端部を上記袋状部２４，２５に差し込んで容易に保持することができる。
【００３４】
上記ホルダー本体１６には上記カバー部材１７が重ね合わされて上記留め具２１により固定されうることから、上記ホルダー本体１６に保持された上記メモパッド１４はカバー部材１７により隠蔽して保護することができる。
また、上記ホルダー本体１６と上記カバー部材１７は、一端が上記リング状部材２０により連結されているので、図２に示すように、上記カバー部材１７を捲り、反転させることができる。
したがって、上記ホルダー本体１６の内面部２３を全開させることができるので、上記ホルダー本体１６に保持されたメモパッド１４にメモを記載しやすい。
また、上記メモパッド１４は両端部を除く中間部が露呈された状態で上記保持部１８，１９により保持されているので、メモパッド１４を取り外すことなく、保持した状態のままでメモパッド１４にメモを記載することができる。
【００３５】
メモを記載した用紙や予備のメモパッドは、上記ホルダー本体１６に形成された上記ポケット２７に収納して保持することができる。
【００３６】
また、上記カバー部材１７の側縁部２８には、筆記具固定部２９及び筆記具先受け部３０が設けられているので、筆記具を一緒に携帯することができ、メモをとる際に筆記具を即座に取り出すことができる。
【００３７】
また、上記ストラップ本体部１３は、上記メモホルダー部１５に対し、バックル３１を介して脱着可能に接続されていることから、携帯電話がメモをとる際に邪魔に感じる場合は、上記バックル３１を分割して、上記メモホルダー部１５を、上記紐状部材１２に取り付けられた携帯電話から分離できるので、上記メモホルダー部１５に保持されたメモパッド１４にメモを記載しやすい。
【００３８】
なお、上記実施の形態にあっては、本考案を携帯電話用ストラップに適用した場合を例に説明したが、上記実施の形態に限定されず、上記リング状部材２０にキーホルダー本体を接続固定することにより、キーホルダー用の下げ飾りとして使用することもできる。
【産業上の利用可能性】
【００３９】
本考案は、携帯電話やキーホルダー本体に装着しうる下げ飾りに適用可能である。
【図面の簡単な説明】
【００４０】
【図１】本考案に係る下げ飾りを携帯電話用ストラップに適用した場合の実施例に係るストラップの斜視図である。
【図２】本考案に係る下げ飾りを携帯電話用ストラップに適用した実施例に係るストラップにおいてメモホルダー部のカバー部材を開いた上体の斜視図である。
【図３】図２のＡ−Ａ線における断面図である。
【図４】図２のＢ−Ｂ線における断面図である。
【符号の説明】
【００４１】
１１  ストラップ
１２  紐状部材
１３  ストラップ本体部
１４  メモパッド
１５  メモホルダー部
１６  ホルダー本体
１７  カバー部材
１８  保持部
１９  保持部
２０  リング状部材
２１  留め具
２２  ホック
２２ａ  雄部材
２２ｂ  雌部材
２３  内面部
２４  袋状部
２５  袋状部
２６  外面部
２７  ポケット
２８  側縁部
２９  筆記具固定部
３０  筆記具先受け部
３１  バックル
３１ａ  受け部
３１ｂ  掛け部
【図１】
0003131665.tif 000003
【図２】
0003131665.tif 000004
【図３】
0003131665.tif 000005
【図４】
0003131665.tif 000006